(57)【要約】【課題】例えば占星術による自己の星座に関連して招福するような星座のものを直接的に取り付けできるようにすると共に、その取り付けを容易にし、またその装飾の意外性が得られるようにする。【解決手段】例えば身体各部、所持品Ｂ等の取り付け部位に巻回状に囲繞して取り付けるリボン本体１に、星座あるいは星座に関連する表示を施してある星座様装飾体２を付設する。リボン本体１は取り付け部位に縛結することで、あるいは面ファスナーにて取り付け可能にし、星座様装飾体２は星座の形態の表示、星座の形態を形取った外形、星座を意味する記号、シンボルその他を表現しているものとしてある。【選択図】図１
0003152217.tif 000002
【実用新案登録請求の範囲】
【請求項１】
取り付け部位に巻回状に囲繞して取り付けられるリボン本体に、星座あるいは星座に関連する表示が施されている星座様装飾体を付設したことを特徴とする装飾リボン具。
【請求項２】
リボン本体は取り付け部位に縛結してあるいは面ファスナーにて取り付けられるものとしてある請求項１に記載の装飾リボン具。
【請求項３】
星座様装飾体は星座の形態の表示、星座の形態を形取った外形、星座を意味する記号、シンボルその他が表現されている請求項１または２に記載の装飾リボン具。
【考案の詳細な説明】
【技術分野】
【０００１】
この考案は、例えば身体の大腿部、膝部、腕部等更にはポーチ、ハンドバックその他の所持品等に取り付けることでそれらを装飾できるようにした装飾リボン具に関する。
【背景技術】
【０００２】
従来から、身体自体あるいは鞄・バッグその他の各種の所持品等に種々な形態のアクセサリーが付されることで、例えばそれらを装飾したり、また目印等としたりしている。身体用あるいは所持品用のアクセサリーとされる場合には、宝玉類、貴金属類等、またこれらの模造素材等を主たる素材として製作されて頭部、頚部、腕部その他の身体の所定部位に取り付けられ、更には所持品等の各所に取り付けられて使用されることが多い。
【０００３】
例えば特許文献１に示す首飾りリボンであり、特許文献２に示す装飾バンド等である。この特許文献１に示す首飾りリボンは、健康器具を兼ねて小型磁石を入れて、ファッション製の高い素材にて袋状に形成し、首の後で結んで使用するものである。特許文献２に示す装飾バンドは、伸縮部を有するバンドの中央に花等の飾りを固定し、衣服の一部や飾りたい部分等にバンドを巻き付けて使用するものである。
【先行技術文献】
【特許文献】
【０００４】
【特許文献１】特開２００３−２０５０７号公報
【特許文献２】特開平９−３１６７１９号公報
【考案の概要】
【考案が解決しようとする課題】
【０００５】
ただ、こうした従来からの特許文献１、２によって提案されている装飾品は、特許文献１の首飾りリボンは使用時では健康上の利点があるものの、袋状に形成した布地によるファッション性しか期待できず、また特許文献２の装飾バンドは飾りが花を模したものであるから、装飾品としての一般的な印象を与えるのみで、意外性に乏しいものである。また従来提案されている装飾品は、頭部、頚部、腕部更には足首等を主たる装着部位とするから、それ以外の部位例えば女性にとってミニスカート・ショートパンツファッション等を着用している場合等の大腿部を露出しているときに、その大腿部、膝部に装着使用しても適当な取付部材がないこととも相俟ち、その取り付け装着は面倒であったし、またその意外性、例えば占星術等による招福部材との関連性もないものであつた。
【０００６】
そこでこの考案は叙上のような従来存した諸事情に鑑み創出されたもので、その目的は例えば占星術による自己の星座に関連して招福するような星座のものを直接的に取り付けできるようにすると共に、その取り付けを容易にし、またその装飾態様の意外性が得られるようにした装飾リボン具を提供することにある。
【課題を解決するための手段】
【０００７】
上述した課題を解決するため、この考案にあっては、例えば身体各部、所持品Ｂ等の取り付け部位に巻回状に囲繞して取り付けられるリボン本体１に、星座あるいは星座に関連する表示が施されている星座様装飾体２を付設したことを特徴とする。
リボン本体１は取り付け部位に縛結してあるいは面ファスナー３にて取り付けられるものとし、星座様装飾体２は星座の形態の表示、星座の形態を形取った外形、星座を意味する記号、シンボルその他が表現されているものとすることができる。
【０００８】
以上のように構成されたこの考案に係る装飾リボン具にあって、リボン本体１は適当な取り付け部位例えば身体各部、各種の所持品Ｂ等に星座様装飾体２を取り付け支持させ、その取り付け部位で装飾させ、また縛結による結び目でその装飾性を増大させる。
星座様装飾体２に施されている星座あるいは星座に関連する表示は、取り付け部位においての星座による装飾を構成し、星座の意味する運命判断、性格判断等の話題を提供させ得る。
【考案の効果】
【０００９】
この考案は以上説明したように構成されているため、身体各部更には各種の所持品Ｂその他にそれらを巻回縛結することで簡単に取り付けでき、付設してある星座様装飾体２によって簡単にファッション性・意外性等に富む星座の装飾物として利用でき、その取り付け、取り扱いも極めて容易である。また、星座の意味する運命判断、性格判断等によっての装飾取付者の装飾意図等が醸し出す雰囲気をも楽しむことができ、その魅力を一層増大できる。しかも、例えば主として脚部を露出しているミニスカート・ショートパンツファッション等に対応して膝部上の大腿部下部に取り付けることで通常は露出されている大腿部の一層の可愛らしさ等を演出できる。そればかりでなく、こうした膝部近傍のみならず腕、手首、足首その他の身体各部更には携帯するバッグその他の各種の所持品Ｂ等にも簡単に取付使用でき、その装飾性を一層大きくできる。
【００１０】
すなわちこれは、この考案が取り付け部位に巻回状に囲繞して取り付けられるリボン本体１に、星座あるいは星座に関連する表示が施されている星座様装飾体２を付設したからであり、これによって、取り付け部位における星座による装飾、その意外性、話題性その他の雰囲気を醸成できる。
【００１１】
また、リボン本体１を取り付けるときに形成される結び目による装飾性の増大、星座様装飾体２に施されている星座あるいは星座に関連する表示によって、星座表現の具体性とも相俟って、特に若い女性にとって好ましいものとなり、自己表現方法の一助ともなるのである。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す分解斜視図である。
【図２】他の実施の形態における分解斜視図である。
【図３】同じく使用状態の斜視図である。
【図４】同じく他の使用状態の斜視図である。
【考案を実施するための形態】
【００１４】
以下、図面を参照してこの考案を実施するための一形態を説明すると、図において示される符号１は所定幅員・長さで形成されているリボン本体であり、例えばその素材としてポリエステル、ナイロン、レーヨン、アセテート、アクリル等の化学繊維、綿等の天然繊維その他によって形成されている。
【００１５】
このリボン本体１は、例えば身体の大腿部を巻回し、それ自身で例えば蝶結び等の結び目を形成して縛結できる程度の長さであったり（図１参照）、また、取り付けるべき部位の周囲長さ等に対応し、例えば面ファスナー３によって巻回止着できる程度の長さであったりする（図２参照）。もとより、リボン本体１自体の長さはこれに限定されず、装着すべき対象物等によって長さが異なることとしてあっても良く、それぞれの対象物に対応して予め異なる長さで形成されたものが複数で用意されるようにしておくと良い。
【００１６】
また、このリボン本体１自体は、適当な色彩が施されており、必要に応じて適宜な模様が形成され、装飾ともなるような文字、記号、符号等が表示されることもある。
【００１７】
このようなリボン本体１には、星座あるいは星座に関連した表示が施された星座様装飾体２が付設されている。この星座様装飾体２は、例えば星座の形態を表示した装飾板としたり、星座の形態を形取った装飾体としたり等の星座の形態自体が表現されている場合に限らず、星座を意味する記号、シンボルその他が表現されている装飾物であっても良い。星座は、例えば占星術によるおひつじ座、おとめ座、やぎ座その他に限らず、星座表で分類されている各種の星座によるものとできる。
【００１８】
また、この星座様装飾体２はリボン本体１に対して例えば対状に配置して設けてあるも、これに限定されるものではない。星座様装飾体２が複数でリボン本体１に設けられるとき、星座様装飾体２による星座が同一であることも、同一ではあってもその表示態様が異なることも、全く別の星座の組合せによるものであっても、いずれであっても良い。さらには図示を省略したが、星座様装飾体２を面ファスナー、ボタンその他によってリボン本体１に対して着脱自在にしておくこともできる。
【００１９】
次にこれの使用の一例を説明すると、装着する部位にリボン本体１によって巻回状に囲繞し、その端部相互で適当な結び目を形成して縛結することで、あるいは面ファスナー３にて取り付けるのである。すなわち、例えば図３に示すように身体の大腿部である膝部の上であったり、図４に示すようにバッグ等の所持品Ｂその他であったりして、装飾すべき適宜な対象物を任意に選択して取り付ける。
【符号の説明】
【００２０】
Ｂ…所持品
１…リボン本体                          ２…星座様装飾体
３…面ファスナー
【図１】
0003152217.tif 000003
【図２】
0003152217.tif 000004
【図３】
0003152217.tif 000005
【図４】
0003152217.tif 000006